(57)【要約】【課題】加工対象物への貫通穴の形成を従来よりも高精度に制御する。【解決手段】加工対象物にレーザビームを照射して穴空け加工を行うレーザ加工装置が、レーザ光源と、レーザ光源から出射されたレーザビームを加工対象物の表面に垂直に入射して収束させるｆθレンズと、ｆθレンズからのレーザビームの入射位置を加工対象物の表面に沿って移動させるレーザビーム走査手段と、レーザビームの光路上でレーザビームを透過させるとともにレーザビームによる加工対象物の穴空け加工に伴って加工対象物から発生する銅のプラズマ光を選択的に側方に反射させるダイクロイックビームスプリッタと、ビームスプリッタで反射した銅のプラズマ光を受光する光センサと、銅のプラズマ光の受光量変化に応じた光センサの出力変化に基づきレーザビームの制御を行うレーザビーム制御手段と、を具えている。【選択図】図１
2019130558.tif 000002
【特許請求の範囲】
【請求項１】
プリント配線板のビルドアップ層となる、樹脂製の層間絶縁層と銅製の導体層とが積層された加工対象物にレーザビームを照射して穴空け加工を行うレーザ加工装置であって、
レーザビームを出射するレーザ光源と、
前記レーザ光源から出射されたレーザビームを加工対象物の表面に垂直に入射してその加工対象物の位置で収束させるｆθレンズと、
前記ｆθレンズから前記加工対象物の表面に入射するレーザビームの入射位置をその加工対象物の表面に沿って移動させるレーザビーム走査手段と、
前記レーザビームの光路上に位置して前記レーザビームを透過させるとともにそのレーザビームによる加工対象物の穴空け加工に伴って加工対象物から発生するプラズマ光のうちの銅のプラズマ光を選択的に側方に反射させるダイクロイックビームスプリッタと、
前記ダイクロイックビームスプリッタで反射した銅のプラズマ光を受光して受光量に応じたレベルの電気信号を出力する光センサと、
前記光センサの出力信号レベルの変化に基づき前記レーザビームの出射停止および／または加工対象物の次の穴位置への入射位置変更を行うレーザビーム制御手段と、
を具えている。
【請求項２】
前記レーザビーム走査手段は、前記レーザ光源から出射されたレーザビームの光路上に位置して、入力された超音波の周波数に応じた角度に高速でそのレーザビームを偏向させるＡＯＤを有することを特徴とする、請求項１記載のレーザ加工装置。
【請求項３】
前記レーザビーム走査手段は、前記ＡＯＤから出射されたレーザビームを所定の軸線周りに回動する反射鏡で偏向させるガルバノミラーを有することを特徴とする、請求項１または２記載のレーザ加工装置。
【請求項４】
前記レーザビーム走査手段は、前記加工対象物を前記ｆθレンズに向けて支持して前記ｆθレンズに対し移動させる移動テーブルを有することを特徴とする、請求項１から３までの何れか１項記載のレーザ加工装置。
【請求項５】
前記レーザ光源は、ＵＶレーザを出射するものであることを特徴とする、請求項１から４までの何れか１項記載のレーザ加工装置。
【請求項６】
プリント配線板のビルドアップ層となる、樹脂製の層間絶縁層と銅製の導体層とが積層された加工対象物にレーザビームを照射して穴空け加工を行うレーザ加工方法であって、
レーザ光源からレーザビームを出射することと、
前記レーザ光源から出射されたレーザビームをｆθレンズにより加工対象物の表面に垂直に入射してその加工対象物の位置で収束させることと、
前記ｆθレンズから前記加工対象物の表面に入射するレーザビームの入射位置をレーザビーム走査手段によりその加工対象物の表面に沿って移動させることと、
前記レーザビームの光路上に配置されたダイクロイックビームスプリッタにより前記レーザビームを透過させるとともにそのレーザビームによる加工対象物の穴空け加工に伴って加工対象物から発生するプラズマ光のうちの銅のプラズマ光を選択的に側方に反射させることと、
前記ダイクロイックビームスプリッタで反射した銅のプラズマ光を光センサにより受光して、その光センサから銅のプラズマ光の受光量に応じたレベルの電気信号を出力させることと、
その光センサの出力信号レベルの変化に基づきレーザビーム制御手段により前記レーザビームの出射停止および／または加工対象物の次の穴位置への入射位置変更を行うことと、
を含んでいる。
【発明の詳細な説明】
【技術分野】
【０００１】
本発明は、プリント配線板のビルドアップ層となる加工対象物にレーザビームを照射して穴空け加工を行うレーザ加工装置およびレーザ加工方法に関する。
【背景技術】
【０００２】
近年のプリント配線板の技術分野では、電子回路の高密度化の要求に応じるために、コア基板上や支持板上に複数層のビルドアップ層を積層することで多層プリント配線板を形成することが提案されている。
【０００３】
ビルドアップ層は通常、樹脂製の層間絶縁層と銅製の導体層とが積層されて形成されており、多層プリント配線板では層間絶縁層に貫通穴が形成され、その貫通穴内に設けられたバイアホール導体が、コア基板の導体層とビルドアップ層の導体層との間やビルドアップ層同士の導体層の間を電気的に接続している。
【０００４】
このようなバイアホール導体用の貫通穴は極めて小径かつ多数であり、その形成には、従来はドリルが用いられていたが、近年では電子回路のさらなる高密度化の要求に応じるために、例えば特許文献１に記載されたようなレーザ加工装置によるレーザビームの照射が用いられるようになっている。
【０００５】
この従来のレーザ加工装置は、シリコン基板上にボンディングパッドを積層した半導体ウエハのシリコン基板のみにバイアホール導体用の貫通穴を多数形成するためのもので、その半導体ウエハからなる加工対象物をＸ−Ｙテーブルで水平に支持するとともに水平方向（装置のｘ軸およびｙ軸方向）に移動させることで、垂直方向（装置のｚ軸方向）に照射するレーザビームを相対的に加工対象物の面内で移動させて、そのレーザビームで加工対象物の穴空け加工範囲全体を走査する。
【０００６】
また、この従来のレーザ加工装置は、入力された超音波の周波数に応じた角度にレーザビームを高速でかつ所定平面内で偏向させるＡＯＤ（音響光学偏向器）を、その所定平面が垂直かつｘ軸方向と平行になるようにレーザビームの光路上に配置することで、レーザビームを加工対象物のｘ軸方向移動と同期させて移動させるとともに、ｆθレンズをＡＯＤと加工対象物との間のレーザビームの光路上に配置することで、ＡＯＤで偏向させたレーザビームを加工対象物に垂直に入射させかつその加工対象物の位置で収束させて、加工対象物の同じ加工位置にパルス状のレーザビームを複数回照射できるようにしている。
【０００７】
さらに、この従来のレーザ加工装置は、中央に開口を持つ反射鏡をｆθレンズと加工対象物との間のレーザビームの光路上にその光路に対して斜めに配置し、その反射鏡の開口を通したレーザビームによる加工対象物の穴空け加工に伴って加工対象物から発生するプラズマ光を、反射鏡の開口周辺部分で側方に反射させて光センサで受光し、レーザビームの照射パルス数があらかじめ求めた最小パルス数に達した時に、加工対象物の溶融がシリコン基板のシリコンからボンディングパッドの銅に達したことをプラズマ光のスペクトル波長の変化に基づく光センサの出力信号の変化が示している場合はレーザビームの照射を止め、その最小パルス数に達した時に加工対象物の溶融がシリコンから銅に達したことを光センサの出力変化が示していない場合はさらに、あらかじめ求めた最大パルス数までレーザビームを照射することで、シリコン基板に貫通穴を空ける際にその穴がボンディングパッドも貫通してしまうのを防止するようにしている。
【先行技術文献】
【特許文献】
【０００８】
【特許文献１】特開２０１３−０４３１９８号公報
【発明の概要】
【発明が解決しようとする課題】
【０００９】
しかしながら上記従来のレーザ加工装置では、最小パルス数または最大パルス数の時にレーザビームの照射を止めていることから、プリント配線板の、樹脂製の層間絶縁層と銅製の導体層とが積層されて形成されたビルドアップ層への穴空け加工に適用した場合に、レーザビームの照射を適切な加工段階で止めて貫通穴の穴空け加工の不具合を確実に防止するのは困難である。
【課題を解決するための手段】
【００１０】
本発明のレーザ加工装置は、プリント配線板のビルドアップ層となる、樹脂製の層間絶縁層と銅製の導体層とが積層された加工対象物にレーザビームを照射して穴空け加工を行う装置であって、
レーザビームを出射するレーザ光源と、
前記レーザ光源から出射されたレーザビームを加工対象物の表面に垂直に入射してその加工対象物の位置で収束させるｆθレンズと、
前記ｆθレンズから前記加工対象物の表面に入射するレーザビームの入射位置をその加工対象物の表面に沿って移動させるレーザビーム走査手段と、
前記レーザビームの光路上に位置して前記レーザビームを透過させるとともにそのレーザビームによる加工対象物の穴空け加工に伴って加工対象物から発生するプラズマ光のうちの銅のプラズマ光を選択的に側方に反射させるダイクロイックビームスプリッタと、
前記ダイクロイックビームスプリッタで反射した銅のプラズマ光を受光して受光量に応じたレベルの電気信号を出力する光センサと、
前記光センサの出力信号レベルの変化に基づき前記レーザビームの出射停止および／または加工対象物の次の穴位置への入射位置変更を行うレーザビーム制御手段と、
を具えている。
【００１１】
また本発明のレーザ加工方法は、プリント配線板のビルドアップ層となる、樹脂製の層間絶縁層と銅製の導体層とが積層された加工対象物にレーザビームを照射して穴空け加工を行う方法であって、
レーザ光源からレーザビームを出射することと、
前記レーザ光源から出射されたレーザビームをｆθレンズにより加工対象物の表面に垂直に入射してその加工対象物の位置で収束させることと、
前記ｆθレンズから前記加工対象物の表面に入射するレーザビームの入射位置をレーザビーム走査手段によりその加工対象物の表面に沿って移動させることと、
前記レーザビームの光路上に配置されたダイクロイックビームスプリッタにより前記レーザビームを透過させるとともにそのレーザビームによる加工対象物の穴空け加工に伴って加工対象物から発生するプラズマ光のうちの銅のプラズマ光を選択的に側方に反射させることと、
前記ダイクロイックビームスプリッタで反射した銅のプラズマ光を光センサにより受光して、その光センサから銅のプラズマ光の受光量に応じたレベルの電気信号を出力させることと、
その光センサの出力信号レベルの変化に基づきレーザビーム制御手段により前記レーザビームの出射停止および／または加工対象物の次の穴位置への入射位置変更を行うことと、
を含んでいる。
【発明の効果】
【００１２】
本発明の実施形態によれば、レーザ光源から出射されたレーザビームが、ｆθレンズによって加工対象物に垂直に入射されてその加工対象物の位置で収束し、加工対象物を穴空け加工する。
【００１３】
そしてその穴空け加工の際、レーザビームの光路上に配置されたダイクロイックビームスプリッタが、レーザビームを透過させるとともにそのレーザビームによる加工対象物の穴空け加工に伴って加工対象物から発生するプラズマ光のうちの銅のプラズマ光を選択的に側方に反射させ、そのダイクロイックビームスプリッタが反射させた銅のプラズマ光を光センサが受光してその受光量に応じたレベルの電気信号を出力し、その光センサの出力信号レベルの変化に基づきレーザビーム制御手段が、レーザビームの出射停止および／または加工対象物の次の穴位置への入射位置変更を行う。
【００１４】
これにより、銅のプラズマ光の受光量のみに応じた光センサからの出力信号レベルの変化に基づいて、レーザビーム制御手段がレーザビームの出射停止および／または加工対象物の次の穴位置への入射位置変更を行うので、そのレーザビームの出射停止および／または加工対象物の次の穴位置への入射位置変更を高精度に行うことができ、レーザビームの照射を適切な加工段階で止めて貫通穴の穴空け加工の不具合を確実に防止することができる。
【図面の簡単な説明】
【００１５】
【図１】本発明の一実施形態のレーザ加工装置の構成を示す説明図である。
【図２】図１に示される実施形態のレーザ加工装置による、本発明の一実施形態のレーザ加工方法を示す説明図である。
【図３】図１に示される実施形態のレーザ加工装置による加工対象物の穴空け加工中の光センサの出力変化を示す説明図である。
【発明を実施するための形態】
【００１６】
以下、図面を参照して本発明に係るレーザ加工装置およびレーザ加工方法の実施形態について説明する。図１は、本発明の一実施形態のレーザ加工装置の構成を示す説明図である。この実施形態のレーザ加工装置は、プリント配線板のビルドアップ層を形成するための、例えば樹脂製の層間絶縁層Ｌ１と例えば銅製の導体層Ｌ２とが積層された加工対象物Ｗに、層間絶縁層Ｌ１側からＵＶ（紫外線）レーザのレーザビームＢを照射して、バイアホール導体を設けるための多数の微細な貫通穴Ｈをその層間絶縁層Ｌ１のみに対して穴空け加工するものである。
【００１７】
上記の穴空け加工のためにこの実施形態のレーザ加工装置は、ＵＶレーザのレーザビームＢを出射するレーザ光源としての、例えばＵＶ−ＹＡＧ（イットリウム・アルミニウム・ガーネット）レーザの３倍高調波（波長３５５ｎｍ）を出力する既知のレーザ発振器１と、レーザ発振器１から出射されたレーザビームＢの光路上に互いに直列に位置して、各々入力された超音波の周波数に応じた角度に高速でかつ互いに直角な平面内でそのレーザビームＢをブラッグ回折現象により偏向させる、光偏向素子とも呼ばれる既知の二個の音響光学偏向器（ＡＯＤ）２，３と、互いに直角に位置する所定軸線周りに反射鏡を回動させて、二個のうちのレーザ発振器１から遠い側のＡＯＤ３から出射されたレーザビームＢを順次に偏向させる既知の二つのガルバノミラー４，５と、図１ではガルバノミラー４，５の下方に位置して、平板状の加工対象物Ｗを例えば層間絶縁層側を上向きにして負圧によって吸着支持するとともに、その支持した加工対象物Ｗを水平面内で互いに直角な二方向に移動させる図示しない既知の移動テーブルと、を具えている。
【００１８】
この実施形態のレーザ加工装置はまた、上記二つのうちのＡＯＤ３から遠い側のガルバノミラー５から出射されたレーザビームＢを上記移動テーブル上の加工対象物Ｗに垂直に入射させかつその加工対象物Ｗの位置で収束させる既知のｆθレンズ６と、二個のうちのレーザ発振器１から遠い側のＡＯＤ３と二つのうちのＡＯＤ３に近い側のガルバノミラー４との間のレーザビームＢの光路上に配置された例えばキューブ型の既知のダイクロイックビームスプリッタ（ＢＳ）７と、を具えている。
【００１９】
このダイクロイックＢＳ７は、レーザ発振器１から出射してＡＯＤ２，３で偏向された波長３５５ｎｍのＵＶレーザのレーザビームＢを上方から下方へ透過させる一方で、そのレーザビームＢのエネルギにより加工対象物Ｗから発生してｆθレンズ６および二枚のガルバノミラー４，５を経たプラズマ光のうち導体回路層を形成する銅の例えば波長２３０〜３２６ｎｍのプラズマ光Ｐを主に反射させて側方（図では右方）へ取り出し、層間絶縁層を形成する樹脂やガラス等の他の材料の例えば波長３３６〜１２００ｎｍのプラズマ光は下方から上方へ透過させる特性を有している。
【００２０】
この実施形態のレーザ加工装置はさらに、ダイクロイックＢＳ７が側方に取り出した銅のプラズマ光Ｐを、銅のプラズマ光固有の波長である例えば３２６ｎｍ付近の光を通すバンドパスフィルタを介して光電子増倍管（ＰＭＴ）で受光し、そのＰＭＴで銅のプラズマ光Ｐの受光量に応じたレベルの電気信号に変換して出力する光センサとしての既知の光センサユニット８と、ＡＯＤ２，３にそれぞれ超音波を入力するとともにそれらの超音波の周波数を別個に変化させてＡＯＤ２，３のそれぞれによるレーザビームＢの偏向角を変更する既知のＡＯＤ制御部９と、を具えている。
【００２１】
この実施形態のレーザ加工装置はさらに、レーザ発振器１、ガルバノミラー４，５、移動テーブルおよびＡＯＤ制御部９の作動制御を行う加工制御部１０を具えており、ここで、ＡＯＤ２，３とガルバノミラー４，５と移動テーブルとは、ｆθレンズ６から加工対象物Ｗの表面に入射するレーザビームＢの入射位置をその加工対象物Ｗの表面に沿って移動させるのでレーザビーム走査手段として機能し、加工制御部１０は、例えば予め与えられたプログラムに基づき作動する通常のパーソナルコンピュータを含んで構成され、光センサユニット８の出力信号を入力してその出力信号レベルに基づき後述の如くレーザビームＢを制御するのでレーザビーム制御手段として機能する。
【００２２】
図２は、上記実施形態のレーザ加工装置による上記実施形態のレーザ加工方法を示す説明図であり、この実施形態のレーザ加工方法では、上記移動テーブル上に、プリント配線板のビルドアップ層を形成するための、例えば樹脂製の層間絶縁層Ｌ１と例えば銅製の導体層Ｌ２とが積層されてなる平板状の加工対象物Ｗをその層間絶縁層Ｌ１側を上向きにして載置した後、加工制御部１０が、移動テーブルを作動させて、その加工対象物Ｗを吸着支持するとともに水平面内で互いに直角な二方向に移動させ、相対的に、ｆθレンズ６からのレーザビームＢの当初の入射位置を加工対象物Ｗの最初の穴空け加工位置に位置決めする。次いで加工制御部１０は、レーザ発振器１、ガルバノミラー４，５およびＡＯＤ制御部９を作動させ、レーザ発振器１で出射したＵＶレーザのパルス状のレーザビームＢをＡＯＤ２，３で偏向させた後にガルバノミラー４，５でさらに偏向させてｆθレンズ６に通し、上記当初の入射位置である加工対象物Ｗの最初の穴空け加工位置に入射する。
【００２３】
このパルス状のレーザビームＢの最初の穴空け加工位置への繰返し入射により加熱された加工対象物Ｗの樹脂製の層間絶縁層Ｌ１は、溶融もしくは熱分解して穴が開き、その穴の深さが層間絶縁層Ｌ１の厚みに達して貫通穴Ｈとなった後は、図２に示すように、その層間絶縁層Ｌ１の貫通穴Ｈの開口直径（穴底径）が次第に拡大しながら、次に加工対象物Ｗの銅製の導体層Ｌ２の、層間絶縁層Ｌ１側に向く表面が溶融してそこに穴が空き始める。
【００２４】
光センサユニット８は、この銅製の導体層Ｌ２の表面の溶融により発生する銅のプラズマ光Ｐを選択的に受光して電気信号を出力し、加工制御部１０は、光センサユニット８の出力信号を入力してその出力信号レベルに基づき、銅のプラズマ光Ｐの受光量から加工対象物Ｗにおける銅製の導体層Ｌ２の穴空け加工量を継続的に演算する。そして加工制御部１０は、導体層Ｌ２の穴空け加工量が所定以上になったら、その導体層Ｌ２の上側に穴空け加工した層間絶縁層Ｌ１の貫通穴Ｈの開口直径（穴底径）が所定以上になるとともに導体層Ｌ２の穴空け加工量は貫通穴にならない微小量に留まっていると判断してＡＯＤ制御部９に、例えばＡＯＤ２，３の何れかによるレーザビームＢの偏向を停止させることで、ＡＯＤ３からガルバノミラー４，５へのレーザビームＢの出射を停止させる。
【００２５】
そしてその後は、ＡＯＤ２，３による微小な偏向可能範囲内であればＡＯＤ２，３の作動により、またＡＯＤ２，３による微小な偏向可能範囲を超える位置へはガルバノミラー４，５の作動により、そしてガルバノミラー４，５による偏向可能範囲を超える位置へは移動テーブルの作動により、ｆθレンズ６からのレーザビームＢの入射位置を加工対象物Ｗの最初の穴空け加工位置から次の穴空け加工位置へ、そしてさらに他の穴空け加工位置へ次々に変更して、加工対象物Ｗのそれらの穴空け加工位置で最初の穴空け加工位置におけると同様にして層間絶縁層Ｌ１の貫通穴Ｈの穴空け加工を行う。
【００２６】
図３は、図１に示される実施形態のレーザ加工装置による加工対象物Ｗの穴空け加工の際の光センサユニット８の出力変化を示す説明図である。この出力変化は、加工制御部１０が、レーザ発振器１を作動させて例えば１ショット０．６μＪのパルス状のレーザビームＢを繰返し出射して、厚みが１０μｍの層間絶縁層Ｌ１と厚みが２．５μｍの導体層Ｌ２とが積層された加工対象物Ｗの層間絶縁層Ｌ１に入口径１０μｍの貫通穴の穴空け加工を行った際の、１１ショット目のまでのものであり、この穴空け加工では、それぞれショット数を変えて複数の穴を形成した後、各穴の縦断面を電子顕微鏡で拡大して調査している。
【００２７】
この調査の結果、図示しない７ショット目ではセンサ出力が約０．１Ｖとなるとともに層間絶縁層Ｌ１の穴底に導体層Ｌ２を露出させる僅かな開口が形成され、その後、ショット数に応じてセンサ出力が増大するとともに層間絶縁層Ｌ１の穴底径が拡大し、図３に示す１１ショット目ではセンサ出力が約０．４Ｖとなるとともに層間絶縁層Ｌ１の開口が入口径９．２μｍ、穴底径６．４μｍ（開口面積３５．８μｍ２）となり、図示しない１４ショット目ではセンサ出力はさほど増大せず入口径１０．８μｍ、穴底径７．０μｍ（開口面積４０．４μｍ２）となって、層間絶縁層Ｌ１に十分な開口径の貫通穴Ｈが形成されるとともに、導体層Ｌ２の層間絶縁層Ｌ１側に向く表面に僅かな窪みが形成されていた。このことから、穴底径がビーム径に応じた一定の大きさになるまでは光センサユニット８のセンサ出力と貫通穴Ｈの穴底径とに正の相関があり、センサ出力に基づいて貫通穴Ｈの穴底径の拡大停止付近のショット数でレーザビームＢの出射を停止すればその後の導体層Ｌ２に対する貫通穴の形成を防止できるということが判明した。
【００２８】
従って、この実施形態のレーザ加工方法によれば、光センサユニット８が出力する銅のプラズマ光の受光量のみに応じた電気信号の出力レベルの変化に基づいて、加工制御部１０でレーザビームＢの出射停止および加工対象物の次の穴位置への入射位置変更を行うので、そのレーザビームＢの出射停止および加工対象物の次の穴位置への入射位置変更を高精度に行うことができ、レーザビームＢの照射を適切な加工段階で止めて、層間絶縁層Ｌ１に対し貫通穴Ｈを確実に形成した後に、導体層Ｌ２に対しては貫通穴の形成を確実に防止し、貫通穴Ｈの穴空け加工の不具合を確実に防止することができる。
【００２９】
本発明は、上記実施形態に限定されず、請求の範囲の記載から逸脱しない範囲で種々の変更、修正が可能である。例えば、実施形態のレーザ加工装置では穴空け加工中の銅のプラズマ光Ｐの受光量の増大に応じてレーザビームＢの出射を停止して一つの穴に照射するパルス状のレーザビームＢのショット数（パルス数）を変更することでレーザビームの照射を適切な加工段階で止めて貫通穴の穴空けの不具合を確実に防止しているが、これに代えて、穴空け加工中の銅のプラズマ光Ｐの受光量の増大に応じてレーザビームＢの出射を停止して一つの穴に連続的に照射するレーザビームＢの照射時間を変更することでレーザビームの照射を適切な加工段階で止めて貫通穴の穴空けの不具合を確実に防止するようにしても良い。
【００３０】
また、例えばダイクロイックＢＳ７は、実施形態のレーザ加工装置ではキューブ型のものを用いているが、所定方向へ向かうレーザビームＢを透過させるとともにそのレーザビームＢの光路上で反対方向へ向かう銅のプラズマ光を選択的に側方に反射させるものであればミラー型等の他の種類のものであっても良い。
【００３１】
さらに、光センサユニット８は、実施形態のレーザ加工装置ではバンドパスフィルタを介して光電子増倍管（ＰＭＴ）で受光するものを用いているが、フォトダイオード等の半導体で光電変換するものを用いても良い。
【００３２】
さらに、レーザビーム制御手段は、ＡＯＤとガルバノミラーとを互いにレーザビーム偏向方向が異なる１つずつに減らして構成しても良く、またＡＯＤとガルバノミラーと移動テーブルとの何れか１つまたは２つを省略して構成しても良い。
【００３３】
そして加工対象物Ｗは、実施形態のレーザ加工装置では樹脂製の層間絶縁層Ｌ１と銅製の導体層Ｌ２とが１層ずつ積層された２層構造のものとされているが、樹脂製の層間絶縁層の両面に銅製の導体層が積層された３層構造のものであっても良く、その場合には穴空け加工の当初でなく１回目から所定の間隔を空けて２回目に光センサが受光した銅のプラズマ光Ｐの受光量の増大に応じてレーザビームＢの出射を停止するようにしても良い。
【符号の説明】
【００３４】
１  レーザ発振器
２，３  ＡＯＤ（音響光学偏向器）
４，５  ガルバノミラー
６  ｆθレンズ
７  ダイクロイックＢＳ（ビームスプリッタ）
８  光センサユニット
９  ＡＯＤ制御部
１０  加工制御部
Ｂ  レーザビーム
Ｈ  貫通穴
Ｐ  銅のプラズマ光
Ｌ１  層間絶縁層
Ｌ２  導体層
Ｗ  加工対象物
【図１】
2019130558.tif 000003
【図２】
2019130558.tif 000004
【図３】
2019130558.tif 000005